【手続補正書】
【提出日】平成30年1月12日(2018.1.12)
【手続補正１】
【補正対象書類名】特許請求の範囲
【補正対象項目名】全文
【補正方法】変更
【補正の内容】
【特許請求の範囲】
【請求項１】
無線通信システムにおける基地局（ＢＳ）がリソース割り当て情報を送信する方法であって、
ディスカバリーのために使用されるリソースに関する第１の情報を生成するステップと、
前記第１の情報を送信するステップと、を含み、
前記第１の情報は、前記リソースの割り当てに対する期間以内にビットマップが発生する回数を示す反復情報を含むことを特徴とする方法。
【請求項２】
前記第１の情報は、リソースサイクル情報、サブフレームビットマップ情報及び物理的リソースブロック（physical resource block：ＰＲＢ）情報のうちの少なくとも一つをさらに含むことを特徴とする請求項１に記載の方法。
【請求項３】
前記第１の情報は、前記ディスカバリーのためのリソースのプール（pool）に関連することを特徴とする請求項１に記載の方法。
【請求項４】
前記リソースサイクル情報は、前記リソースの割り当てのための期間に関連することを特徴とする請求項２に記載の方法。
【請求項５】
前記第１の情報は、前記ディスカバリーのために使用される時間／周波数リソースのセットに関連することを特徴とする請求項１に記載の方法。
【請求項６】
前記ＰＲＢ情報は、前記リソースの割り当てのための期間で前記ディスカバリーのためのサブフレームのＰＲＢに関連し、ＰＲＢスタートインデックス及びＰＲＢエンドインデックスを含むことを特徴とする請求項２に記載の方法。
【請求項７】
前記サブフレームビットマップ情報は、Ｎビットサイズのビットマップに関連し、前記ビットマップのそれぞれのビットはサブフレームに対応し、
前記ビットマップは、前記サブフレームが前記ディスカバリーのために使用されるか否かを指示することを特徴とする請求項２に記載の方法。
【請求項８】
無線通信システムにおけるユーザ端末（user equipment：ＵＥ）がリソース割り当て情報を受信する方法であって、
ディスカバリーのために使用されるリソースに対する第１の情報を受信するステップと、
前記第１の情報に基づいて、前記ディスカバリーを実行するステップと、を含み、
前記第１の情報は、前記リソースの割り当てに対する期間以内にビットマップが発生する回数を示す反復情報を含むことを特徴とする方法。
【請求項９】
前記第１の情報は、リソースサイクル情報、サブフレームビットマップ情報及び物理的リソースブロック（physical resource block：ＰＲＢ）情報のうちの少なくとも一つをさらに含むことを特徴とする請求項８に記載の方法。
【請求項１０】
前記第１の情報は、前記ディスカバリーのためのリソースのプール（pool）に関連することを特徴とする請求項９に記載の方法。
【請求項１１】
前記リソースサイクル情報は、前記リソースの割り当てのための期間に関連することを特徴とする請求項９に記載の方法。
【請求項１２】
前記第１の情報は、前記ディスカバリーのために使用される時間／周波数リソースのセットに関連することを特徴とする請求項９に記載の方法。
【請求項１３】
前記ＰＲＢ情報は、前記リソースの割り当てのための期間で前記ディスカバリーのためのサブフレームのＰＲＢに関連し、ＰＲＢスタートインデックス及びＰＲＢエンドインデックスを含むことを特徴とする請求項９に記載の方法。
【請求項１４】
前記サブフレームビットマップ情報は、Ｎビットサイズのビットマップに関連し、前記ビットマップのそれぞれのビットはサブフレームに対応し、
前記ビットマップは、前記サブフレームが前記ディスカバリーのために使用されるか否かを指示することを特徴とする請求項９に記載の方法。
【請求項１５】
無線通信システムにおける基地局（base station：ＢＳ）であって、
ディスカバリーのために使用されるリソースに関連する情報を生成する制御部と、
第１の情報を送信する送信部と、を含み、
前記第１の情報は、前記リソースの割り当てに対する期間以内にビットマップが発生する回数を示す反復情報を含むことを特徴とする基地局。
【請求項１６】
前記第１の情報は、リソースサイクル情報、サブフレームビットマップ情報及び物理的リソースブロック（physical resource block：ＰＲＢ）情報のうちの少なくとも一つをさらに含むことを特徴とする請求項１５に記載の基地局。
【請求項１７】
前記第１の情報は、前記ディスカバリーのためのリソースのプール（pool）に関連することを特徴とする請求項１５に記載の基地局。
【請求項１８】
前記リソースサイクル情報は、前記リソースの割り当てのための期間に関連することを特徴とする請求項１６に記載の基地局。
【請求項１９】
前記第１の情報は、前記ディスカバリーのために使用される時間／周波数リソースのセットに関連することを特徴とする請求項１５に記載の基地局。
【請求項２０】
前記ＰＲＢ情報は、前記リソースの割り当てのための期間で前記ディスカバリーのためのサブフレームのＰＲＢに関連し、ＰＲＢスタートインデックス及びＰＲＢエンドインデックスを含むことを特徴とする請求項１６に記載の基地局。
【請求項２１】
前記サブフレームビットマップ情報は、Ｎビットサイズのビットマップに関連し、前記ビットマップのそれぞれのビットはサブフレームに対応し、
前記ビットマップは、前記サブフレームが前記ディスカバリーのために使用されるか否かを指示することを特徴とする請求項１６に記載の基地局。
【請求項２２】
無線通信システムにおけるユーザ端末（user equipment：ＵＥ）であって、
ディスカバリーのために使用されるリソースに対する第１の情報を受信する受信部と、
前記第１の情報に基づいて前記ディスカバリーを実行する制御部と、を含み、
前記第１の情報は、前記リソースの割り当てに対する期間以内にビットマップが発生する回数を示す反復情報を含むことを特徴とするユーザ端末。
【請求項２３】
前記第１の情報は、リソースサイクル情報、サブフレームビットマップ情報及び物理的リソースブロック（physical resource block：ＰＲＢ）情報のうちの少なくとも一つをさらに含むことを特徴とする請求項２２に記載のユーザ端末。
【請求項２４】
前記第１の情報は、前記ディスカバリーのためのリソースのプール（pool）に関連することを特徴とする請求項２２に記載のユーザ端末。
【請求項２５】
前記リソースサイクル情報は、前記リソースの割り当てのための期間に関連することを特徴とする請求項２３に記載のユーザ端末。
【請求項２６】
前記第１の情報は、前記ディスカバリーのために使用される時間／周波数リソースのセットに関連することを特徴とする請求項２２に記載のユーザ端末。
【請求項２７】
前記ＰＲＢ情報は、前記リソースの割り当てのための期間で前記ディスカバリーのためのサブフレームのＰＲＢに関連し、ＰＲＢスタートインデックス及びＰＲＢエンドインデックスを含むことを特徴とする請求項２３に記載のユーザ端末。
【請求項２８】
前記サブフレームビットマップ情報は、Ｎビットサイズのビットマップに関連し、前記ビットマップのそれぞれのビットはサブフレームに対応し、
前記ビットマップは、前記サブフレームが前記ディスカバリーのために使用されるか否かを指示することを特徴とする請求項２３に記載のユーザ端末。